(57)【要約】  【課題】集塵フィルターの清掃作業を容易に行うことができる空気清浄機を提供する。  【解決手段】空気吸入口から吸入した空気を空気吹出口に導く風路を有する本体内に、集塵フィルター２１、送風ファン及び送風ファンを駆動する為のモーターが配設された空気調和機において、集塵フィルター２１に付着した塵埃等を除去する清掃体５を有し、この清掃体５は、集塵フィルター２１に接触して移動可能であると共に、清掃体５の移動を手動にて操作可能にした。【選択図】図４
2008246463.tif 000002
【特許請求の範囲】
【請求項１】
空気吸入口から吸入した空気を空気吹出口に導く風路を有する本体内に、集塵フィルター、送風ファン及び送風ファンを駆動する為のモーターが配設された空気調和機において、該空気調和機は、前記集塵フィルターに付着した塵埃等を除去する清掃体を有し、該清掃体は、前記集塵フィルターに接触して移動可能であると共に、該清掃体の移動を手動にて操作可能にしたことを特徴とする空気調和機。
【請求項２】
空気吸入口から吸入した空気を空気吹出口に導く風路を有する本体内に、集塵フィルター、送風ファン及び送風ファンを駆動する為のモーターが配設された空気調和機において、該空気調和機は、前記集塵フィルターに付着した塵埃等を除去する清掃体を有し、前記集塵フィルターは、前記清掃体に接触して移動可能であると共に、前記集塵フィルターの移動を手動にて操作可能にしたことを特徴とする空気調和機。
【請求項３】
集塵フィルターにおける吸入空気が通過する下流側の面に、塵埃突出し手段を配した請求項１又は２に記載の空気調和機。
【発明の詳細な説明】
【技術分野】
【０００１】
本発明は、室内の空気を吸い込み、この吸い込んだ空気を浄化した後、室内に吹き出す空気調和機に関する。
【背景技術】
【０００２】
従来より、空気調和機は、吸気口側から順に集塵フィルター、脱臭フィルターが設けられ、モーターに取り付けられた送風ファンによって吸気口から吸引された塵埃を含む空気を集塵フィルターと脱臭フィルターを通過させて浄化し、送風口から外部に排出する構成になっているものが知られている（例えば、特許文献１参照）。
【０００３】
【特許文献１】特開平１１−５０１１号公報
【発明の開示】
【発明が解決しようとする課題】
【０００４】
したがって、定期的に集塵フィルターに付着した塵埃を取り除く必要があり、前カバーを外して、集塵フィルターを取り出し、ブラシや掃除機などで塵埃を除去する作業を必要としていた。
【０００５】
本発明は、上記従来の課題を解決するためのものであり、集塵フィルターの清掃作業を容易に行うことができる空気清浄機を提供することを目的とする。
【課題を解決するための手段】
【０００６】
請求項１の発明は、空気吸入口から吸入した空気を空気吹出口に導く風路を有する本体内に、集塵フィルター、送風ファン及び送風ファンを駆動する為のモーターが配設された空気調和機において、該空気調和機は、前記集塵フィルターに付着した塵埃等を除去する清掃体を有し、該清掃体は、前記集塵フィルターに接触して移動可能であると共に、該清掃体の移動を手動にて操作可能なことに特徴を有する。したがって、空気調和機の内部に清掃体を内蔵しているので、集塵フィルターの清掃時に前カバーを取り外す必要がない。また、清掃体を手動で動かすために、電動モーターや、ベルト等の大掛かりな装置を必要としないので、コストアップを抑えることができると共に、空気調和機を小型化できる。
【０００７】
請求項２の発明は、空気吸入口から吸入した空気を空気吹出口に導く風路を有する本体内に、集塵フィルター、送風ファン及び送風ファンを駆動する為のモーターが配設された空気調和機において、該空気調和機は、前記集塵フィルターに付着した塵埃等を除去する清掃体を有し、前記集塵フィルターは、前記清掃体に接触して移動可能であると共に、前記集塵フィルターの移動を手動にて操作可能なことに特徴を有する。したがって、空気調和機の内部に清掃体を内蔵しているので、集塵フィルターの清掃時に前カバーを取り外す必要がない。また、集塵フィルターを手動で動かすために、電動モーターや、ベルト等の大掛かりな装置を必要としないので、コストアップを抑えることができると共に、空気調和機を小型化できる。また、清掃体が動かないので、該清掃体の耐久性を増大させることができる。さらに、集塵フィルターが空気調和機外部に露出する為、フィルターの清掃状体が一目で確認できる。
【０００８】
請求項３の発明は、請求項１又は２の空気清浄機において、集塵フィルターにおける吸入空気が通過する下流側の面に、塵埃突出し手段を配したことに特徴を有する。したがって、塵埃突出し手段によって、集塵フィルターの内部に付着した塵埃を集塵フィルターの上流側表面に浮き上らせた後、清掃体によって掃くことができるので、清掃効果の向上を図ることができる。
【発明の効果】
【０００９】
本発明の請求項１及び２の発明は、空気調和機の内部に清掃体を内蔵しているので、集塵フィルターの清掃時に前カバーを取り外す必要がない。また、清掃体又は集塵フィルターを手動で動かすために、電動モーターや、ベルト等の大掛かりな装置を必要としないので、コストアップを抑えることができる。また、請求項３の発明は、塵埃突出し手段によって、集塵フィルターの内部に付着した塵埃を除去することができるので、清掃効果の向上を図ることができる。
【発明を実施するための最良の形態】
【００１０】
次に、本発明の第１実施形態を図１〜図６を用いて説明する。図１は本発明の空気調和機の正面図である。図２は同空気調和機の前カバーを取り外した状態での正面図である。図３は同空気調和機の側面縦断面図である。
【００１１】
空気調和機４０の本体ケース１は合成樹脂にて形成されており、図３に示すように前面側を開口する後ケース３と、この後ケース３に着脱自在に装着される前カバー４とから構成されている。
【００１２】
前カバー４には図１に示すように吸気口となる多数の鎧戸状の孔６が形成されており、この孔６から本体ケース１内に空気が取り込まれる。また、前カバー４の下端には、図３に示すように後ケース３の前面側下部に形成された係止孔２２に挿入される係止部４１が形成され、前カバー４の左右両側には図１に示す押しボタン９の操作により仕切板１１に着脱自在に係止される係止爪（図示せず）が形成されている。
【００１３】
後ケース３の上面には格子状の排気口２が形成され、背面には把手３ａと渦巻き状のファンケーシング２３が形成されており、このファンケーシング２３内は排気口２を介して本体ケース１外と連通されている。
【００１４】
仕切板１１は本体ケース１内を前後に区画しており、前後の空間を連通する穴１１ａが形成されている。この仕切板１１には、正面側を開口する凹状の収納部１２が形成されており、この収納部１２に、メインフィルター１３と脱臭フィルター１４とがメインフィルター１３が風上側となるように着脱自在に装着される。
【００１５】
送風機２９は仕切板１１の後ケース３側に配設されており、仕切板１１に取り付けられたモーター３０と、このモーター３０により駆動されるファン３１とで構成されている。また、前カバー４を取り外すと、プレフィルター２１が現れ、このプレフィルター２１の表面側に接触するように清掃体５が配置され、プレフィルター２１の裏面側に接触するように塵埃突出し手段１０が配置されている。
【００１６】
そして、電源スイッチ３４をオンにすると、ファン３１が駆動され、吸気口となる孔６から本体ケース１内に部屋の空気が吸い込まれる。この吸い込まれた空気は、プレフィルター（集塵フィルター）２１、メインフィルター１３、及び脱臭フィルター１４を順次通過し、空気中の塵埃のうち粗塵がプレフィルター２１で、プレフィルター２１を通過した塵埃がメインフィルター１３にて除去され、さらに臭気成分が脱臭フィルター１４にて除去される。そして、塵埃が除去され、臭気成分が除去された空気は、穴１１ａからファンケーシング２３内に流入し、ファンケーシング２３に案内されて排気口２から本体ケース１外に放出される。これにより、上記構成の空気清浄機を設置した部屋の空気が除塵され、脱臭されて浄化される。尚、プレフィルター２１はネット状である。
【００１７】
図４はプレフィルターの清掃部材の構成を示す説明図である。プレフィルター２１の表面は、清掃体５と接触するように配置されている。清掃体５は、後ケース３の側面に形成された溝１７から突出するつまみ７と連動し、このつまみ７を手動で上下方向に移動させることによって、清掃体５も上下方向に移動し、プレフィルター２１の表面に付着した塵埃が下部に設置されている集塵ケース８に収集されるようになっている。尚、溝１７には、凹凸部２５が形成されており、この凹凸部２５につまみ７に内蔵されたばね２６が当接することによって、清掃体５を途中で止めることが可能である。また、つまみ７はプレフィルター２１の下流側に設置された塵埃突出し手段１０とも連動しており、つまみ７を手動で下方向に移動させることによって、塵埃突出し手段１０も矢印方向に回転しつつ、下方向に移動し、プレフィルター２１の内部に付着した塵埃を清掃体５が設置されている側の表面に突出して、清掃体５によって、集塵ケース８に払い落とされるようになっている。尚、集塵ケース８は、後ケース３の側面から矢印方向に取り出して、塵埃を捨てることができるようになっている。また、清掃体５がプレフィルター２１の下部に位置する場合には、つまみ７を手動で上方向に移動させると、塵埃突出し手段１０は、矢印方向とは逆方向に回転しつつ、上方向に移動し、プレフィルター２１の内部に付着した塵埃を清掃体５が設置されている側の表面に突出して、清掃体５によって、集塵ケース８に払い落とされるようになっている。また、清掃体５の中央に把持部２４を設けており、必要に応じて前カバー４を開けて把持部２４のみで清掃体５を上下させることにより、プレフィルター２１の清掃を行う形態も採用できる。この場合には、つまみ７の構成はなくてもよい。
【００１８】
図５は清掃体と塵埃突出し手段の斜視図である。図５（ａ）に示すように、清掃体５は、長尺な板状体５ａの上に、基部５ｂと毛５ｃとからなる起毛布５ｆが接着されたものである。また、図５（ｂ）に示すように、塵埃突出し手段１０は、円筒状の回転体１０ａの周囲に起毛布１０ｂが接着されたものであり、回転体１０ａには、案内棒１０ｃが挿入され固定された構成となっている。この案内棒１０ｃは、板状体５ａの軸受５ｄに挿入され、板状体５ａは、図４に示したように、両端の案内棒５ｅに軸受３２を介してギヤ２７が装着される。そして、ギヤ２７はラック２８上を回転しながら上下動するのである。
【００１９】
図６は清掃体と塵埃突出し手段の位置関係を示す説明図である。この図に示すように、清掃体５が矢印方向に移動する場合、清掃体５の位置よりも前方の下流側に塵埃突出し手段１０は位置して矢印方向に回転しつつ、下方に移動するようになっている。したがって、プレフィルター２１の下流側の表面及び内部に付着した塵埃３３は、塵埃突出し手段１０によって、プレフィルター２１の上流側の表面に突出され、後からくる清掃体５によって下方に設置されている集塵ケース８に払い落とされるのである。尚、プレフィルター２１の清掃時に、空気清浄機を作動させて、吸引を行うことで、塵埃が飛散するのを防止することができる。
【００２０】
図７は本発明の第２実施形態の空気調和機を示す斜視図である。この図に示す空気清浄機では、清掃体５と塵埃突出し手段１０とは、空気清浄機内部の上方に固定されている。そして、プレフィルター２１ａの上端に取っ手２１ｂが付いていて、この取っ手２１ｂを溝１６から空気清浄機の上方に移動させることによって、プレフィルター２１ａに付着している塵埃を、塵埃突出し手段１０と清掃体５とによって、集塵ケース８に払い落とされるようになっている。
【００２１】
尚、その他の実施形態として、プレフィルター２１と清掃体５とを手動により、互いに接触させつつ移動可能な構成とすることも可能である。この場合には、プレフィルター２１と、清掃体５との両者が動くことで清掃時間が半分になり、清掃効率を向上させることができる。
【産業上の利用可能性】
【００２２】
以上のように、本発明においては、手動で集塵フィルターを清掃することができる空気調和機として利用できるものである。
【図面の簡単な説明】
【００２３】
【図１】本発明の第１実施形態の空気調和機の正面図
【図２】同空気調和機の前カバーを取り外した状態での正面図
【図３】同空気調和機の側面縦断面図
【図４】プレフィルターの清掃部材の構成を示す説明図
【図５】清掃体と塵埃突出し手段の斜視図
【図６】清掃体と塵埃突出し手段の位置関係を示す説明図
【図７】本発明の第２実施形態の空気調和機を示す斜視図
【符号の説明】
【００２４】
１  本体ケース
３  後ケース
４  前カバー
５  清掃体
７  つまみ
８  集塵ケース
１０  塵埃突出し手段
２１、２１ａ  プレフィルター（集塵フィルター）
３０  モーター
３１  ファン
４０、４０ａ  空気調和機
【図１】
2008246463.tif 000003
【図２】
2008246463.tif 000004
【図３】
2008246463.tif 000005
【図４】
2008246463.tif 000006
【図５】
2008246463.tif 000007
【図６】
2008246463.tif 000008
【図７】
2008246463.tif 000009